(57)【要約】【課題】加熱装置の大型化を抑制しつつ、加熱装置の発熱量を増大させることができるようにする。【解決手段】相互に重複されて複数重の螺旋状をなすコイル状の複数のシーズヒータ３，４を備える。よって、加熱装置の発熱量を増大させるために単一のシーズヒータの長さを長くしたり外径を大きくしたりする場合に比べて、加熱装置１の大型化を抑制しつつ、加熱装置１の発熱量を増大させることができる。【選択図】図１
2008027709.tif 000002
【特許請求の範囲】
【請求項１】
相互に重複されて複数重の螺旋状をなすコイル状の複数のシーズヒータ（３，４）を備える加熱装置。
【請求項２】
流体が流入する流入口（５）と流体が流出する流出口（６）とが同軸上に設けられたタンク（２）を備え、
前記シーズヒータ（３，４）は、前記流入口（５）と前記流出口（６）とに同軸に位置付けられて前記タンク（２）の内部に配置されている請求項１に記載の加熱装置。
【請求項３】
前記シーズヒータ（３，４）同士は、同一外径、同一巻回ピッチである請求項１又は２に記載の加熱装置。
【発明の詳細な説明】
【技術分野】
【０００１】
本発明は、コイル状のシーズヒータを備える加熱装置に関する。
【背景技術】
【０００２】
従来、例えば、電気自動車の暖房用熱源として、コイル状のシーズヒータを備える加熱装置が用いられている（例えば、特許文献１参照）。
【０００３】
このようなシーズヒータを備える加熱装置の発熱量を上げるには、例えば、シーズヒータの長さを長くする、シーズヒータの外径を大きくするという方法がある。
【特許文献１】特開平１０−２０３１４８号公報
【発明の開示】
【発明が解決しようとする課題】
【０００４】
しかしながら、加熱装置の発熱量を上げるためにシーズヒータの長さを長くしたり、シーズヒータの外径を大きくしたりすると、加熱装置が大型化してしまうという問題がある。
【０００５】
そこで、本発明は、加熱装置の大型化を抑制しつつ、加熱装置の発熱量を増大させることができるようにすることを目的とする。
【課題を解決するための手段】
【０００６】
本発明の加熱装置は、相互に重複されて複数重の螺旋状をなすコイル状の複数のシーズヒータを備えることを最も主要な特徴とする。
【発明の効果】
【０００７】
本発明によれば、コイル状の複数のシーズヒータが相互に重複されて複数重の螺旋状をなしているので、加熱装置の大型化を抑制しつつ、加熱装置の発熱量を増大させることができる。
【発明を実施するための最良の形態】
【０００８】
本発明の一実施形態について図面に基づいて説明する。
【０００９】
図１は、本実施形態の加熱装置を示す縦断側面図である。加熱装置１は、タンク２と、このタンク２の内部に配設された複数のシーズヒータ３，４と、を備え、タンク２に供給された流体をシーズヒータ３，４によって加熱した後、排出するものである。この加熱装置１は、例えば自動車の暖房装置に熱源として設けられる。
【００１０】
ここで、自動車の暖房装置は、加熱装置１で暖めた流体をポンプの動作によってヒータコア（いずれも図示せず）に供給し、ヒータコアにおいて流体の熱によって空気を暖め、その暖めた空気を車室内に供給する構成のものである。なお、空気を暖めた後の流体は、ポンプの動作によって再び加熱装置１に供給されるようになっている。流体としては、液体である例えばＬＬＣ（ロングライフクーラント）が用いられる。このような暖房装置は、例えば、電気自動車のメイン暖房用や、ディーゼルエンジン車などの補助暖房用等として用いられる。
【００１１】
次に、加熱装置１の各部を詳細に説明する。タンク２は、細長い円筒状に形成されている。タンク２の軸方向の一端部には、流体が流入する流入口５が設けられる一方、他端部には、流体が流出する流出口６が設けられている。タンク２は、流入口５及び流出口６以外の部分が密閉構造となっており、流入口５からタンク２の内部に流入した流体が流出口６から流出するようになっている。流入口５と流出口６とは、同軸上に配置されている。具体的には、流入口５と流出口６とは、タンク２の軸線上に共に配置されている。
【００１２】
シーズヒータ３，４は、本実施形態では、２つ設けられている。シーズヒータ３，４は、コイル状に形成されていると共に、その両端部には、リード端子７が接続されている。このリード端子７は、タンク２を貫通している。シーズヒータ３，４同士は、同一外径、同一巻回ピッチである。シーズヒータ３，４は、詳しくは、コイル状のニクロム線等の発熱体が保護管の内部に挿入されると共に、それら発熱体と保護管との間に耐熱性絶縁体が充填された構成となっている。シーズヒータ３，４では、リード端子７を介して車両電源（図示せず）から供給される電力により発熱体が発熱する。これらシーズヒータ３，４への通電は、制御回路（図示せず）によって各シーズヒータ３，４毎に独立制御される。
【００１３】
これらシーズヒータ３，４は、相互に離間した状態で相互に重複されて複数重（本実施形態では２重）の螺旋状をなしている。これらシーズヒータ３，４は、流入口５と流出口６とに同軸に位置付けられている。
【００１４】
このような構成において、流入口５からタンク２内に供給された流体は、流入口５から排出される。この移動過程で、発熱したシーズヒータ３，４によって流体が加熱される。
【００１５】
以上説明したように、本実施形態では、コイル状の複数のシーズヒータ３，４が相互に重複されて複数重の螺旋状をなしているので、加熱装置１の発熱量を増大させるために単一のシーズヒータの長さを長くしたり外径を大きくしたりする場合に比べて、加熱装置１の大型化を抑制しつつ、加熱装置１の発熱量を増大させることができる。
【００１６】
また、加熱装置１がシーズヒータ３，４を複数（本実施形態では、２つ）備えているので、ある目標発熱量を達成するのに、シーズヒータが単一の場合に比べて、シーズヒータ３，４のワット密度をより低くすることができる。したがって、シーズヒータ３，４の長寿命化を図ることができる。
【００１７】
また、本実施形態では、流体が流入する流入口５と流体が流出する流出口６とが同軸上に設けられたタンク２を備え、シーズヒータ３，４は、流入口５と流出口６とに同軸に位置付けられてタンク２の内部に配置されている。したがって、タンク２の内部において流体がシーズヒータ３，４に沿って流れるので、流体をシーズヒータ３，４によって効率良く加熱することができる。
【００１８】
また、本実施形態では、シーズヒータ３，４同士は、同一外径、同一巻回ピッチであるので、シーズヒータ３，４同士による複数重の螺旋状を容易に実現することができる。
【００１９】
また、本実施形態では、複数のシーズヒータ３，４を備えるので、これらシーズヒータ３，４への通電を制御回路によってシーズヒータ３，４毎に独立制御できる。したがって、暖房に必要な熱量に応じてシーズヒータ３，４を駆動することで、無駄なエネルギー消費を抑制することができる。
【００２０】
なお、本発明は、本実施形態に限ることなく本発明の要旨を逸脱しない範囲で他の実施形態を各種採用することができる。例えば、本実施形態では、シーズヒータ３，４が２つ設けられた例を説明したが、これに限ることはない。シーズヒータが３つ以上設けられて、それらシーズヒータが複数重（３重以上）の螺旋状をなしていても良い。
【図面の簡単な説明】
【００２１】
【図１】本発明の一実施形態の加熱装置を示す縦断側面図である。
【符号の説明】
【００２２】
１…加熱装置
２…タンク
３…シーズヒータ
４…シーズヒータ
５…流入口
６…流出口
【図１】
2008027709.tif 000003